(57)【要約】  使用者に出っ張り感を与えず、スマートフォンなどの電子機器を収納し易くあるいは取り出し易くすることができる電子機器収納ケースを提供する。  電子機器１を収納する収納部１２と、収納部１２の両側に形成され収納部１２を帯状部材１４に装着させる羽根部１６Ａ、１６Ｂと、を有し、羽根部１６Ａ、１６Ｂには、帯状部材１４が挿通する挿通部１８Ａ、１８Ｂがそれぞれ形成されている。収納部１２と羽根部１６Ａ、１６Ｂとが連続して形成されていることにより、収納部１２の出っ張り感を抑制することができる。
2013150665.tif 000002
【特許請求の範囲】
【請求項１】
電子機器を収納する収納部と、
前記収納部の両側に形成され、前記収納部を帯状部材に装着させる羽根部と、
を有し、
前記羽根部には、前記帯状部材が挿通する挿通部が形成されていることを特徴とする電子機器収納ケース。
【請求項２】
前記装通部に前記帯状部材が挿通され、前記帯状部材が所定の曲率で湾曲されている状態で、
前記羽根部は、前記収納部の表面部と前記帯状部材の表面部とを平面又は湾曲面によって接続していることを特徴とする請求項１に記載の電子機器収納ケース。
【請求項３】
前記収納部の表面部は、前記収納部に収納されている前記電子機器に対して対向する対向部と、前記対向部と前記羽根部の表面部とを接続する接続部と、を有することを特徴とする請求項２に記載の電子機器収納ケース。
【請求項４】
前記収納部に前記電子機器が収納された状態で、
前記接続部は、前記対向部に対して傾斜していることを特徴とする請求項３に記載の電子機器収納ケース。
【請求項５】
前記収納部の表面部と前記羽根部の表面部とは、前記収納部の表面部から前記羽根部の表面部にかけて延びる同一の部材で構成されていることを特徴とする請求項１乃至４のいずれか１項に記載の電子機器収納ケース。
【請求項６】
前記羽根部と前記挿通部との間に、前記羽根部と前記挿通部との位置関係を調整するための調整部材を設けたことを特徴とする請求項１乃至５のいずれか１項に記載の電子機器収納ケース。
【発明の詳細な説明】
【技術分野】
【０００１】
本発明は、例えば、ベルト等に装着可能な電子機器収納ケースに関する。
【背景技術】
【０００２】
従来から携帯電話機を収納するためのケースが各々提案されている。【０００３】
例えば、下記特許文献１には、携帯電話機を収納する収納ケース本体と、収納ケース本体を被服のベルトに着脱自在に取り付ける取り付け部と、からなり、収納ケース本体をベルトに対して垂直な方向から傾斜させた状態で取り付け部に保持した携帯電話機用ケース、が開示されている。【０００４】
一方、下記特許文献２には、ゴムなどの伸縮性を有する素材から形成された帯状シートの両端が接続されて成るリング状シートにより構成され、その一部に携帯電話機を収納できる袋状のポケット部が形成されており、前記リング状シートをその伸縮性を利用してユーザーの腕又は足に取り付けて使用できるようになっている携帯電話機装着用バンド、が開示されている。
【先行技術文献】
【特許文献】
【０００５】
【特許文献１】特開２００５−１７７１１０号公報
【特許文献２】特開２００２−１９４６１０号公報
【特許文献３】特開２００８−２５９７８６号公報
【特許文献４】特開２００９−１１４５５２号公報
【特許文献５】特開平１０−２６３５０号公報
【特許文献６】実用新案登録第３０６７７８１号
【特許文献７】実用新案登録第３１７３２６２号
【発明の概要】
【発明が解決しようとする課題】
【０００６】
ところが、上記特許文献１の携帯電話機用ケースでは、収納ケース本体のみが外側に出っ張る形に構成されており、これをベルトに装着したときに、収納ケース本体の部分だけが大きく膨らむようになる。このため、出っ張り感が強調されて、デザイン性が悪くなり、特に若年層の世代には受け入れ難いものになっている。また、収納ケースをシャツで隠した場合においても、収納ケースの部分だけシャツが外側に大きく膨らみ、格好が悪いものになる。【０００７】
また、上記特許文献２の携帯電話機装着用バンドでは、バンドの内側にポケット部が形成されているため、携帯電話機装着用バンドを身体に装着したときにポケット部が外側に出っ張った印象を与え難いものの、ポケット部が身体側にめり込み、身体を押圧して装着感が悪くなる。また、ポケット部が身体側にめり込んだ状態では、携帯電話機の収納動作又は取出動作が困難になるという問題が生じる。【０００８】
そこで、本発明は、上記問題点に鑑み、使用者に出っ張り感を与えず、スマートフォンなどの電子機器を収納し易くあるいは取り出し易くすることができる電子機器収納ケースを提供することを目的とする。
【課題を解決するための手段】
【０００９】
本願発明は、電子機器を収納する収納部と、
前記収納部の両側に形成され、前記収納部を帯状部材に装着させる羽根部と、
を有し、
前記羽根部には、前記帯状部材が挿通する挿通部がそれぞれ形成されていることを特徴とする。【００１０】
この場合、前記装通部に前記帯状部材が挿通され、前記帯状部材が所定の曲率で湾曲されている状態で、
前記羽根部は、前記収納部の表面部と前記帯状部材の表面部とを平面又は湾曲面によって接続していることが好ましい。【００１１】
この場合、前記収納部は、表面部を有し、
前記表面部は、前記収納部に収納されている前記電子機器に対して対向する対向部と、前記対向部と前記羽根部の表面部とを接続する接続部と、を有することが好ましい。【００１２】
この場合、前記収納部に前記電子機器が収納された状態で、前記接続部は、前記対向部に対して傾斜していることが好ましい。【００１３】
この場合、前記収納部の表面部と前記羽根部の表面部とは、前記収納部の表面部から前記羽根部の表面部にかけて延びる同一の部材で構成されていることが好ましい。【００１４】
この場合、前記羽根部と前記挿通部との間に、前記羽根部と前記挿通部との位置関係を調整するための調整部材を設けたことが好ましい。
【発明の効果】
【００１５】
本発明によれば、電子機器を収納する収納部と、収納部の両側に形成され収納部を帯状部材に装着させる一対の羽根部と、を有し、羽根部には帯状部材が挿通する挿通部が形成されているため、収納部に対して電子機器を容易に収納することができ、あるいは収納部に収納された電子機器を容易に取り出すことができる。【００１６】
また、装通部に帯状部材が挿通され帯状部材が所定の曲率で湾曲されている状態で、羽根部は、収納部の表面部と帯状部材の表面部とを平面又は湾曲面によって接続していることにより、身体に電子機器収納ケースを装着したときに使用者に対して出っ張り感を与えず、意匠性に優れたものになる。また、衣類などで収納部及び羽根部を覆った場合でも、出っ張りが生じ難い。【００１７】
また、収納部は表面部を有し、表面部は、収納部に収納されている前記電子機器に対して対向する対向部と、前記対向部と前記羽根部の表面部とを接続する接続部と、を有することにより、接続部が対向部と羽根部とを接続するため、対向部だけが羽根部から突出することを防止できる。【００１８】
また、収納部に前記電子機器が収納された状態で、接続部は対向部に対して傾斜していることにより、接続部によって対向部と羽根部とを円滑に接続することができる。【００１９】
また、収納部の表面部と羽根部の表面部とは、収納部の表面部から羽根部の表面部にかけて延びる同一の部材で構成されているため、収納部の表面部と羽根部の表面部とを連続した平面又は湾曲面に形成することができる。さらに、収納部の表面部と羽根部の表面部とを容易に形成することができる。【００２０】
また、羽根部と挿通部との間に羽根部と挿通部との位置関係を調整するための調整部材が設けられているため、羽根部と挿通部との間に隙間が生じた場合に、調整部材により、羽根部の平面状態又は湾曲状態を維持することができる。
【図面の簡単な説明】
【００２１】
【図１】本発明の一実施形態に係る電子機器収納ケースに電子機器が収納された状態を示す正面図である。
【図２】本発明の一実施形態に係る電子機器収納ケース（電子機器が収納されていない状態）の平面図である。
【図３】本発明の一実施形態に係る電子機器収納ケース（電子機器が収納されたもの）が環状となった帯状部材に装着された状態の概念図である。
【図４】（Ａ）は本発明の一実施形態に係る電子機器収納ケースがウエストの小さい使用者に装着した状態の概念図であり、（Ｂ）はウエストの大きい使用者に装着した状態の概念図である。
【図５】本発明の一実施形態に係る電子機器収納ケースの変形例１の斜視図である。
【図６】（Ａ）は変形例１の電子機器収納ケースの収納部が身体の外側に位置するように電子機器収納ケースを帯状部材に取り付けたときの部分的な概念図であり、収納部が身体の内側に位置するように電子機器収納ケースを帯状部材に取り付けたときの部分的な概念図である。
【図７】本発明の一実施形態に係る電子機器収納ケースの変形例２の斜視図である。
【図８】（Ａ）は変形例２の電子機器収納ケースの収納部が身体の外側に位置するように電子機器収納ケースを帯状部材に取り付けたときの部分的な概念図であり、収納部が身体の内側に位置するように電子機器収納ケースを帯状部材に取り付けたときの部分的な概念図である。
【図９】本発明の一実施形態に係る電子機器収納ケースの変形例３の斜視図である。
【図１０】本発明の一実施形態に係る電子機器収納ケースの変形例４の斜視図である。
【発明を実施するための形態】
【００２２】
次に、本発明の一実施形態に係る電子機器収納ケースについて、図面を参照して説明する。なお、本実施形態では、「電子機器」の一例としてスマートフォン（多機能型携帯電話機）を例示するが、スマートフォンに限られるものではなく、従来からの携帯電話機、携帯端末、モバイルなどの持ち運びが可能な一般の電子機器が含まれる。また、現在の電子機器は、本体や液晶画面が変形し難い構造のものが一般的であるが、電子ペーパーを利用したものやタッチパネルや液晶画面が紙のように変形可能となるようなもの、その他フレキシブルな構造の電子機器も本願発明の範囲に含まれる。
【００２３】
図１及び図２に示すように、電子機器収納ケース１０は、スマートフォン１を収納する収納部１２と、収納部１２の左右両側に形成され収納部１２をベルトなどの帯状部材１４に装着させるための一対の羽根部１６Ａ、１６Ｂと、羽根部１６Ａ、１６Ｂに形成され帯状部材１４が挿通する挿通部１８Ａ、１８Ｂと、を有している。
【００２４】
収納部１２は、スマートフォン１を収納するためのものであり、外側表面部１２Ｘと、内側表面部１２Ｙと、を有している。収納部１２の外側表面部１２Ｘは、収納部１２に収納されているスマートフォン１の所定の面に対して対向する外側対向部１２Ｘ１と、外側対向部１２Ｘ１と羽根部１６Ａ、１６Ｂの外側表面部１６Ｘとを接続する外側接続部１２Ｘ２と、を有している。外側接続部１２Ｘ２は、収納部１２にスマートフォン１が収納された状態で、平面方向（図２に示す方向）から見て、外側対向部１２Ｘ１の厚み方向に対して傾斜している。
【００２５】
なお、収納部１２の外側表面部１２Ｘとは、電子機器収納ケース１０をベルトなどの帯状部材１４に通して身体に装着したときに、ベルト（身体）側と反対側に位置する表面部を意味する。また、収納部１２の内側表面部１２Ｙとは、電子機器収納ケース１０をベルトなどの帯状部材１４に通して身体に装着したときに、ベルト（身体）側に位置する表面部を意味する。
【００２６】
収納部１２の内側表面部１２Ｙの上部には、上側に突出し上側突出部２０が形成されている。上側突出部２０の表面には、収納部１２に収納されたスマートフォン１の所定の面が接触可能になる。このため、スマートフォン１が帯状部材１４や身体に直接接触することを防止でき、スマートフォン１を保護することができる。
【００２７】
他方、収納部１２の外側表面部１２Ｘの上部には、前記上側突出部２０と同じようなものが形成されていない。このため、収納部１２に収納されたスマートフォン１の外側表面部側の部位が外部に大きく露出することになり、露出した部位を保持して引き抜くことによりスマートフォン１を容易に取り出すことができる。
【００２８】
収納部１２の外側表面部１２Ｘの下部の一部から内側表面部１２Ｙの下部の一部に跨るようにして、底面支持部２２が形成されている。このため、収納部１２に収納されたスマートフォン１の底面を下方から支持することができ、スマートフォン１が落下することを防止できる。また、スマートフォン１が底面支持部２２に支持された状態において、スマートフォン１の下端部側の一部が外部に露出している。このため、収納部１２に収納されたスマートフォン１の下端部側の一部を使用者の指で押し上げることが可能になり、スマートフォン１を一層容易に取り出すことが可能になる。
【００２９】
ここで、電子機器収納ケース１０が帯状部材１４に通して身体に装着されたときに、収納部１２が鉛直方向（図１中矢印Ｇ方向）に対して所定の傾斜角度で傾斜するように構成されている。このため、収納部１２に収納されたスマートフォン１は、所定の角度だけ傾斜した姿勢を維持した状態で収納される。この結果、スマートフォン１の上端部が使用者の手に近い部位に位置するため、容易に手が届き、スマートフォン１を取り出し易くすることができる。
【００３０】
羽根部１６Ａ、１６Ｂは、電子機器収納ケース１０が帯状部材１４に通して身体に装着されたときに、収納部１２の左右両側に位置するように構成されている。各羽根部１６Ａ、１６Ｂは、外側表面部１６Ｘと、内側表面部１６Ｙと、で構成されている。なお、羽根部１６Ａ、１６Ｂの数は、２つに限られるものではなく、３つ以上の複数個設けられている構成や、１つしか設けられていない構成でもよい。
【００３１】
装通部１８Ａ、１８Ｂに帯状部材１４が挿通され帯状部材１４が所定の曲率で湾曲されている状態において、各羽根部１６Ａ、１６Ｂは、収納部１２の外側表面部１２Ｘと帯状部材１４の外側表面部とを平面又は湾曲面によって接続している。このため、電子機器収納ケース１０が帯状部材１４に通して身体に装着されたときには、収納部１２の外側表面部１２Ｘから各羽根部１６Ａ、１６Ｂの外側表面部１６Ｘにかけて所定の湾曲状面が形成される（図２〜図４参照）。
【００３２】
ここで、各羽根部１６Ａ、１６Ｂの内側表面部１６Ｙと収納部１２の内側表面部１２Ｙとは、同一の部材で構成されている。また、各羽根部１６Ａ、１６Ｂの外側表面部１６Ｘと収納部１２の外側表面部１２Ｘとは、同一の部材で構成されている。
【００３３】
各羽根部１６Ａ、１６Ｂの内側表面部１６Ｙには、挿通部１８Ａ、１８Ｂがそれぞれ設けられている。各挿通部１８Ａ、１８Ｂは、リング状部１８Ａ１、１８Ｂ１と、リング状部１８Ａ１、１８Ｂ１を羽根部１６Ａ、１６Ｂの内側表面部１６Ｙに取り付けるための取付部１８Ａ２、１８Ｂ２と、を有している。各リング状部１８Ａ１、１８Ｂ１には、帯状部材１４が挿通できるようになっている。
【００３４】
なお、挿通部１８Ａ、１８Ｂの数は、２個に限られるものではなく、３個以上の複数個設けられている構成でもよい。この場合、１つの挿通部１８Ａ(１８Ｂ)に２個以上設けられている構成も含まれる他、収納部１２に単数又は複数個設けられている構成も含まれる。
【００３５】
ここで、装通部１８Ａ、１８Ｂに帯状部材１４を挿通させ電子機器収納ケース１０を帯状部材１４に通して身体に装着させて、収納部１２の外側表面部１２Ｘから各羽根部１６Ａ、１６Ｂの外側表面部１６Ｘにかけて所定の湾曲状面を形成させようとしたときに、羽根部１６Ａ、１６Ｂの内側表面部１６Ｙの面方向と取付部１８Ａ、１８Ｂの面外方向とが異なるようになる。このため、取付部１８Ａ、１８Ｂと羽根部１６Ａ、１６Ｂの内側表面部１６Ｙとの間に所定の隙間が発生する。
【００３６】
上記隙間を埋めるために、取付部１８Ａ２、１８Ｂ２と羽根部１６Ａ、１６Ｂの内側表面部１６Ｙとの間には調整部材２４Ａ、２４Ｂがそれぞれ設けられている。各調整部材２４Ａ、２４Ｂは、ゴムなどの弾性体で形成されている。この調整部材２４Ａ、２４Ｂを設けたことにより、取付部１８Ａ２、１８Ｂ２と羽根部１６Ａ、１６Ｂの内側表面部１６Ｙとの位置関係を調整しかつ維持することができるため、収納部１２の外側表面部１２Ｘから各羽根部１６Ａ、１６Ｂの外側表面部１６Ｘにかけての所定の湾曲状面を維持することができる。
【００３７】
なお、調整部材２４Ａ、２４Ｂは、必須の構成要素ではない。当然ながら、調整部材２４Ａ、２４Ｂが設けられていない構成でもよい。
【００３８】
次に、本実施形態の電子機器収納ケース１０の製造方法について概説する。
【００３９】
（外側表面部の形成）
収納部１２の外側表面部１２Ｘと羽根部１６Ａ、１６Ｂの外側表面部１６Ｘとを同一の部材で形成する。
【００４０】
（内側表面部の形成）
収納部１２の内側表面部１２Ｙと羽根部１６Ａ、１６Ｂの内側表面部１６Ｙとを同一の部材で形成する。
【００４１】
（重ね合わせ）
ここで、上記外側表面部と上記内側表面部とは同一の部材で形成されていることが好ましい。そして、収納部１２及び羽根部１６Ａ、１６Ｂの外側表面部１６Ｘと内側表面部１６Ｙを重ね合わせ、相互に縫い付ける。このため、収納部１２と各羽根部１６Ａ、１６Ｂの境界には、縫い線が形成されている。
【００４２】
なお、収納部１２の開口は、スマートフォン１が収納部１２に収納されていない状態においても、維持されていることが好ましい。これを実現するため、収納部１２には、厚紙などの形状記憶部材が内蔵されていてもよい。
【００４３】
（挿通部の形成）
各羽根部１６Ａ、１６Ｂの内側表面部１６Ｙに取付部１８Ａ２、１８Ｂ２を縫い付ける。このとき、取付部１８Ａ２、１８Ｂ２の内側表面部１６Ｙとの間には、リング状部１８Ａ１、１８Ｂ１が挿通しているとともに、調整部材２４Ａ、２４Ｂが挿入されている。なお、調整部材２４Ａ、２４Ｂは、リング状部１８Ａ１、１８Ｂ１に対して接触しているため、リング状部１８Ａ１、１８Ｂ１の位置決め機能も兼ねている。
【００４４】
以上のような各工程を経ることにより、電子機器収納ケース１０を製造することが可能になる。
【００４５】
次に、本実施形態の電子機器収納ケース１０の作用効果について説明する。
【００４６】
図１及び図３に示すように、２つの挿通部１８Ａ、１８Ｂのリング状部１８Ａ１、１８Ｂ１にベルトなどの帯状部材１４を通し、帯状部材１４を腰に巻く。これにより、電子機器収納ケース１０を身体に容易に装着させることができる。
【００４７】
ここで、電子機器収納ケース１０が帯状部材１４に通して身体に装着されたときには、収納部１２の外側表面部１２Ｘから各羽根部１６Ａ、１６Ｂの外側表面部１６Ｘにかけて所定の湾曲状面（平面部も含む）が形成される。このため、収納部１２だけが外側に向って唐突に出っ張ってしまうことがなく、不自然な出っ張り感を使用者に与えることがない。この結果、電子機器収納ケース１０を身体に装着した場合でも、デザイン性が向上する。さらに、電子機器収納ケース１０を身体に装着して衣類などにより電子機器収納ケース１０を覆った場合でも、衣服の一部だけが外側に唐突に出っ張らない。
【００４８】
図４（Ａ）は、ウエストの小さい使用者が電子機器収納ケース１０を身体に装着したときの収納部１２の出っ張り具合を示す図である。図４（Ｂ）は、ウエストの大きい使用者が電子機器収納ケース１０を身体に装着したときの収納部１２の出っ張り具合を示す図である。
【００４９】
図４に示すように、使用者のウエストサイズによって収納部１２の出っ張り具合が多少異なるが、基本的に収納部１２から羽根部１６Ａ、１６Ｂを経て帯状部材１４に至るまでの領域は、平面又は曲面で形成されている。このように、収納部１２と羽根部１６Ａ、１６Ｂとで形成される平面又は曲面の作用により、収納部１２だけが突出して外側に出っ張ることを防止できる。
【００５０】
特に、電子機器収納ケース１０の羽根部１６Ａ、１６Ｂは、収納部１２の帯状部材１４からの出っ張りを抑制するための機能を有するとともに、収納部１２を帯状部材１４に装着させるための挿通部１８Ａ、１８Ｂを取り付ける取付部材としても機能する。このように、羽根部１６Ａ、１６Ｂに複数の機能を持たせることにより、部品点数を削減できるとともに、構成も簡易になる。
【００５１】
各羽根部１６Ａ、１６Ｂは収納部１２の左右両側に設けられており、かつ収納部１２が帯状部材１４の外側（身側体と反対側）に位置しているため、スマートフォン１を収納部１２に収納し易くすることができるとともに、収納部１２からスマートフォン１を取り出し易くすることができる。
【００５２】
特に、収納部１２の外側表面部１２Ｘは、収納部１２に収納されているスマートフォン１に対して対向する外側対向部１２Ｘ１と、外側対向部１２Ｘ１と羽根部１６Ａ、１６Ｂの外側表面部１６Ｘとを接続する外側接続部１２Ｘ２と、を有することにより、外側接続部１２Ｘ２が外側対向部１２Ｘ１と羽根部１６Ａ、１６Ｂとを接続するため、外側対向部１２Ｘ１だけが羽根部１６Ａ、１６Ｂから突出することを防止できる。
【００５３】
また、収納部１２の外側表面部１２Ｘと羽根部１６Ａ、１６Ｂの外側表面部１６Ｘとは、収納部１２の外側表面部１２Ｘから羽根部１６Ａ、１６Ｂの外側表面部１６Ｘにかけて延びる同一の部材で構成されているため、収納部１２の外側表面部１２Ｘと羽根部１６Ａ、１６Ｂの外側表面部１６Ｘとを連続した平面又は湾曲面に形成することができる。さらに、収納部１２の外側表面部１２Ｘと羽根部１６Ａ、１６Ｂの外側表面部１６Ｘとを容易に形成することができる。このことは、収納部１２の内側表面部１２Ｙと羽根部１６Ａ、１６Ｂの内側表面部１６Ｙとの関係においても同様のことが言える。
【００５４】
また、羽根部１６Ａ、１６Ｂと挿通部１８Ａ、１８Ｂとの間に羽根部１６Ａ、１６Ｂと挿通部１８Ａ、１８Ｂとの位置関係を調整するための調整部材２４Ａ、２４Ｂがそれぞれ設けられているため、羽根部１６Ａ、１６Ｂと挿通部１８Ａ、１８Ｂとの間に隙間が生じた場合に、調整部材２４Ａ、２４Ｂにより、羽根部１６Ａ、１６Ｂの平面状態又は湾曲状態を維持させることができる。
【００５５】
特に、調整部材２４Ａ、２４Ｂがゴムなどの弾性体で構成されているため、羽根部１６Ａ、１６Ｂと挿通部１８Ａ、１８Ｂとの間に隙間の寸法や外力の作用に応じて、調整部材２４Ａ、２４Ｂが自在に弾性変形する。これにより、寸法誤差や外力を調整部材２４Ａ、２４Ｂの弾性変形により吸収することができるため、設計自由度を高めることができる。
【００５６】
以上のように、本実施形態の電子機器収納ケース１０を用いることにより、使用者の衣服のラインを崩すことが無く、スマートフォン１を確実かつ容易に収納・取り出しすることができる。このため、スマートフォン１をポケットなどに収納した場合と比較して、スマートフォン１の破損を防止でき、また落下による紛失を防止できる。さらに、スマートフォン１をポケットなどに収納した場合よりも、スマートフォン１を電子機器収納ケース１０に収納してこれを身体に装着した方が、使用者にとって歩き易くなる。
【００５７】
（各種変形例）
次に、変形例について説明する。なお、以下の変形例において、上記実施形態と同様の構成については、説明を適宜省略する。
【００５８】
（変形例１）
図５に示すように、変形例１の挿通部として、各羽根部１６Ａ、１６Ｂに直接形成されている長孔２６Ａ、２６Ｂだけで構成されていてもよい。この変形例１では、長孔２６Ａ、２６Ｂにベルトなどの帯状部材１４を通して、身体に装着することができる。
【００５９】
変形例１によれば、羽根部１６Ａ、１６Ｂに長孔２６Ａ、２６Ｂを形成するだけで挿通部を容易に設けることができる。また、部品点数を削減することができ、製造費を低減することができる。
【００６０】
また、変形例１では、収納部１２が帯状部材１４の外側（身体側と反対側）になるように装着することも可能であり（図６（Ａ）参照）、帯状部材１４の内側（身体側）になるように装着することも可能である（図６（Ｂ）参照）。収納部１２が帯状部材１４の内側に位置する態様では、特許文献２のような問題が生じ得るが、収納部１２の左右両端側には羽根部１６Ａ、１６Ｂが形成されており、収納部１２と帯状部材１４との間を滑らかに接続している。このため、収納部１２が帯状部材１４から異様に突出することを防止できる。また、羽根部１６Ａ、１６Ｂの存在により、収納部１２の開口が補強されるため、開口の形状が維持される。この結果、スマートフォン１の収納又は取り出しが一層容易になる。
【００６１】
（変形例２）
図７に示すように、変形例２の挿通部として、両端部が各羽根部１６Ａ、１６Ｂに直接縫い付けられあるいは取り付けられたリング状部１８Ａ１、１８Ｂ１のみで構成されている。すなわち、取付部を要しない。
【００６２】
変形例２によれば、取付部を要しないため、部品点数を削減することができる。これにより、製造費を低減することができる。
【００６３】
変形例２においても、収納部１２が帯状部材１４の外側（身体側と反対側）になるように装着することも可能であり（図８（Ａ）参照）、帯状部材１４の内側（身体側）になるように装着することも可能である（図８（Ａ）参照）。収納部１２が帯状部材１４の内側に位置する態様では、特許文献２のような問題が生じ得るが、変形例１と同様の理由により、当該問題を解決することができる。
【００６４】
（変形例３）
図９に示すように、変形例３の挿通部として、所定の領域を有する外周面が各羽根部１６Ａ、１６Ｂに直接縫い付けられあるいは取り付けられたリング状部１８Ａ１、１８Ｂ１のみで構成されている。すなわち、取付部を要しない。
【００６５】
変形例３によれば、取付部を要しないため、部品点数を削減することができる。これにより、製造費を低減することができる。
【００６６】
（変形例４）
図１０に示すように、変形例４の挿通部１８Ａ、１８Ｂとして、各羽根部１６Ａ、１６Ｂに取り付けられた金属製又はプラスチック製（シリコンも含む）のクリップ部２５Ａ、２５Ｂで構成されている。クリップ部２５Ａ、２５Ｂは、帯状部材１４をその厚み方向両側から挟む弾性部２５Ａ１、２５Ｂ１を有している。弾性部２５Ａ１、２５Ｂ１の先端部には、帯状部材１４に対して押圧する圧力集中部２５Ａ２、２５Ｂ２が形成されている。
【００６７】
変形例４によれば、使用者が帯状部材１４を外すことなく装着したままで、換言すれば帯状部材１４が環状のままで、クリップ部２５Ａ、２５Ｂの弾性部２５Ａ１、２５Ｂ１を帯状部材１４の上方側から帯状部材１４に被せることにより、電子機器収納ケース１０を帯状部材１４に装着させることができる。これにより、電子機器収納ケース１０を帯状部材１４に装着させるときに、帯状部材１４をいったん外す必要が無くなり、電子機器収納ケース１０の取付作業が容易になる。
【００６８】
特に、圧力集中部２５Ａ２、２５Ｂ２が帯状部材１４に所定の圧力を付与しているので、クリップ部２５Ａ、２５Ｂが帯状部材１４から不意に離脱することを防止できる。
【００６９】
なお、本発明は、本実施形態及び変形例に記載された内容に限定されるものではない。本発明の要旨を含むものであれば、当業者による設計的事項の変更程度の差異は、本発明に含まれる。  
【符号の説明】
【００７０】
１        スマートフォン（電子機器）
１０      電子機器収納ケース
１２      収納部  
１２Ｘ    外側表面部（収納部の表面部）
１２Ｘ１  外側対向部（収納部の対向部）
１２Ｘ２  外側接続部（収納部の接続部）
１４      帯状部材
１６Ａ    羽根部
１６Ｂ    羽根部
１８Ａ    挿通部
１８Ｂ    挿通部
２４Ａ    調整部材
２４Ｂ    調整部材
２５Ａ    クリップ部
２５Ｂ    クリップ部
【図１】
2013150665.tif 000003
【図２】
2013150665.tif 000004
【図３】
2013150665.tif 000005
【図４】
2013150665.tif 000006
【図５】
2013150665.tif 000007
【図６】
2013150665.tif 000008
【図７】
2013150665.tif 000009
【図８】
2013150665.tif 000010
【図９】
2013150665.tif 000011
【図１０】
2013150665.tif 000012
【国際調査報告】
2013150665.tif 000013
2013150665.tif 000014
2013150665.tif 000015
2013150665.tif 000016